(57)【要約】  薬剤瓶（１２）の取り扱いを容易にする把持用取り付け具（１０）を開示する。薬剤瓶は、長手方向軸と平行に延在する円筒壁（１６）を有する容器（１４）を含む。容器は、基部壁（１８）によって一方の端部において閉鎖されおり、また、対向する開口端部を有する。容器は、容器を取り囲むように開口端部上のキャップ（２０）を受容する。把持用取り付け具は、容器壁に取り外し可能に取り付けるように構成された内部円筒面を画定するスリーブ壁（２４）を有する、スリーブ部分（２２）を備える。把持用取り付け具は、スリーブ部分の把持を容易にするために、スリーブ部分に接続されたレバレッジ構成要素をさらに備える。【選択図】図１
2021513490.tif 000002
【特許請求の範囲】
【請求項１】
薬剤瓶の取り扱いを容易にするための把持用取り付け装置であって、前記薬剤瓶は、長手方向軸と平行に延在する円筒壁を有する容器を含み、前記容器は、基部壁によって一方の端部において閉鎖されており且つ対向する開口端部を有し、前記容器は、前記容器を取り囲むように前記開口端部においてキャップを受容し、
前記取り付け具は、
スリーブ部分であって、前記容器と前記スリーブ部分との間の相対移動を阻止するために前記容器の壁に取り外し可能に取り付けられるように構成された内部円筒面を画定するスリーブ壁を有する前記スリーブ部分と、
前記スリーブ部分の把持を容易にするように前記スリーブ部分に接続されたレバレッジ構成要素と
を備える、前記把持用取り付け装置。
【請求項２】
前記レバレッジ構成要素が、粘着性の外面を有する前記スリーブ壁を備える、請求項１に記載の装置。
【請求項３】
前記スリーブ壁が、円筒外面を備え、前記レバレッジ構成要素が、前記スリーブ壁から離れて前記円筒外面から突出する表面特徴を備える、請求項１に記載の装置。
【請求項４】
前記表面特徴が、垂直リブを含む、請求項３に記載の装置。
【請求項５】
前記表面特徴が、水平リブを含む、請求項３に記載の装置。
【請求項６】
前記表面特徴が、テクスチャ加工された表面で構成される、請求項３に記載の装置。
【請求項７】
前記スリーブ壁が、円筒外面を含み、前記レバレッジ構成要素が、前記円筒外面から外側へ延在するノブを備える、請求項１に記載の装置。
【請求項８】
前記ノブが、前記容器から外側へ長手方向に延在する、請求項７に記載の装置。
【請求項９】
前記スリーブ壁が、円筒外面を備え、前記レバレッジ構成要素が、前記円筒外面から外側へ延在するハンドルを備える、請求項１に記載の装置。
【請求項１０】
前記ハンドルが、前記スリーブ壁から前記容器の前記長手方向軸に対して垂直な方向に延在する第１の部分と、前記第１の部分から前記容器の前記長手方向軸と平行な方向に延在する第２の部分と、を含む、請求項９に記載の装置。
【請求項１１】
前記第１の部分が、前記容器の前記開口端部に隣接して配置され、前記第２の部分が、前記容器の前記開口端部から離間された位置で終端する、請求項１０に記載の装置。
【請求項１２】
前記第１の部分が、前記容器の前記開口端部に隣接して配置され、前記第２の部分が、前記容器の前記円筒壁と接合される位置で終端する、請求項１０に記載の装置。
【請求項１３】
容器上で受容されたときに、前記スリーブ部分が、前記基部壁を少なくとも部分的に覆う底部壁を含む、請求項１の装置。
【請求項１４】
前記底部壁が、前記開口部を通した前記容器の前記基部壁の接触を可能にする中央開口部を含む、請求項１３に記載の装置。
【請求項１５】
前記スリーブ部分の前記底部壁が、溝を含む、請求項１３に記載の装置。
【請求項１６】
前記スリーブ部分が、前記把持用取り付け具を支持面に静置するための、半径方向拡大基部を含む、請求項１３に記載の装置。
【請求項１７】
スリーブ部分が、前記薬剤容器の前記外面の直径に類似する直径を有し、前記半径方向拡大基部が、前記薬剤容器の前記外面からより遠くへと延在する、請求項１６に記載の装置。
【請求項１８】
前記半径方向拡大基部が、前記支持面に対する回転に抵抗するように構成された底面を含む、請求項１６に記載の装置。
【請求項１９】
前記基部の前記底面が、高摩擦材料を含む、請求項１８に記載の装置。
【請求項２０】
前記基部の前記底面が、少なくとも吸着カップを備える、請求項１８に記載の装置。
【請求項２１】
シリンジを含むための空洞をさらに含む、請求項１に記載の装置。
【請求項２２】
前記スリーブ部分が、シリンジを含むための表面構造を備える半径方向拡大基部含む、請求項２１に記載の装置。
【請求項２３】
前記表面構造が、前記シリンジを受容するように構成された切り欠きを備える、請求項２２に記載の装置。
【請求項２４】
前記表面構造が、シリンジを受容するように構成された空洞を備える、請求項２２に記載の装置。
【請求項２５】
前記薬剤の投与計画と相関する表面構造を含む、請求項２２に記載の装置。
【請求項２６】
７つの表面構造が提供され、各表面構造が、曜日を表すようにマーク付けされる、請求項２５に記載の装置。
【請求項２７】
前記スリーブ部分が、前記容器の一部分を視認することを可能にするように構成された視認部分を含む、請求項１に記載の装置。
【請求項２８】
前記視認部分が、前記スリーブ部分の一部を形成する透明材料である、請求項２７に記載の装置。
【請求項２９】
前記視認部分が、前記スリーブ部分の開口部である、請求項２７に記載の装置。
【発明の詳細な説明】
【技術分野】
【０００１】
背景技術
本開示は、使用中に薬剤瓶に固定して、瓶の取り扱いを容易にするための、把持用取り付け具に関する。
【背景技術】
【０００２】
薬剤は、しばしば、様々な種類の瓶で提供される。そうした瓶は、取り外し可能なキャップによって一方の端部が閉鎖された容器を含む。容器は、ガラス、プラスチック、金属、または他の材料から作製することができる。キャップは、スナップ嵌め、ねじ接続、などで構成することができる、容器に固定するための機構を含む。容器へのキャップの取り付けは、キャップが偶発的に外れるのを回避するために、十分に固定するように行われる。いくつかの場合において、キャップは、子供に安全な固定具として容器に取り付けられる。
【０００３】
個人が薬剤容器に対してキャップを取り外す、および／または再び取り付けることは困難であり得る。特に子供に安全なシステムによって、キャップを取り外す、および／または再び取り付ける際に、容器に対してキャップを操作することが困難になり得る。これは、年齢または医学的状態のため、物理的な体力または器用さが低下してきた個人に特に当てはまる。
【発明の概要】
【０００４】
薬剤容器に対するキャップの適用および取り外しを容易にする把持用取り付け具を提供する。把持用取り付け具は、容器とスリーブ部分との間の相対回転を阻止するために薬剤瓶の円筒壁に取り外し可能に取り付けるように構成された内部円筒面を画定する円筒壁を有する、スリーブ部分を含む。把持用取り付け具は、スリーブ部分に固定され、かつ薬剤容器およびキャップの取り扱いを容易にする、レバレッジ構成要素をさらに含む。把持用取り付け具は、キャップの取り付けおよび取り外しを改良すること、ならびに、正確にかつ限られた漏出で用量を分注または取り出しながら、容器を保持するのを支援することができる。
【図面の簡単な説明】
【０００５】
本開示の特徴および利点は、添付の図面と併せて以下の詳細な説明を考慮すると、当業者にさらに明らかになるであろう。
【０００６】
【図１】薬剤瓶に固定された例示的な把持用取り付け具の実施形態の斜視図である。
【図２】薬剤瓶に取り付けられ、また、垂直リブを有する、代替的な把持用取り付け具の斜視図である。
【図３】図２の把持用取り付け具の底面図である。
【図４】薬剤瓶上にあり、かつ外側へ延在するノブを含む把持用取り付け具の一実施形態の側面図である。
【図５】図４の把持用取り付け具の正面図である。
【図６】図４の把持用取り付け具の平面図である。
【図７】薬剤瓶に固定され、かつハンドルを含む把持用取り付け具の側面図である。
【図８】ユーザによって保持されている図７の把持用取り付け具の斜視図である。
【図９】代替のハンドル構成を有する把持用取り付け具の側面図である。
【図１０】基部に溝を含む把持用取り付け具の側面図である。
【図１１】シリンジを受容するための空洞を有する拡大基部を含む把持用取り付け具の斜視図である。
【図１２】シリンジを薬剤容器に固定する連結部材の斜視図である。
【図１３】シリンジを保持するための拡大上部分および切り欠きを含む把持用取り付け具の斜視図である。
【図１４】吸着カップを含む拡大基部を含む把持用取り付け具を示す側面図である。
【図１５】曜日識別子を選択するためのスライダを有する把持用取り付け具の斜視図である。
【図１６】薬剤瓶のための把持用取り付け具として有効なバンドの平面図である。
【図１７】把持用取り付け具として機能するように薬剤瓶に適用したときの図１５のバンドの斜視図である。
【発明を実施するための形態】
【０００７】
本開示の原理の理解を促進するために、次に、図面に例示された実施形態を参照し、特定の言語を使用して、これを説明しよう。しかしながら、これによって本発明の範囲を限定することを意図しないことが理解されるであろう。
【０００８】
本発明の把持用取り付け具は、薬剤容器を覆って受容されるスリーブ部分を備える。スリーブ部分は、薬剤容器に厳密に嵌合し、密着するように構成された円筒壁を備える。把持用取り付け具はまた、容器に対するキャップの適用または取り外しを行ったときに、相対回転に対する容器の保持を容易にするために、レバレッジ構成要素も含む。
【０００９】
本明細書で使用するとき、「円筒」という用語は、典型的な薬剤容器の長手方向壁に厳密に合致する形状を指す。かかる容器は、一般に、その長さの大部分にわたって均一な断面を有し、この断面は、円形、楕円形、長方形（正方形を含む）、六角形、などを含む、任意の幾何学形状を有することができる。把持用取り付け具のスリーブ部分は、薬剤容器の断面に一致するように予め成形することができる。代替的に、把持用取り付け具のスリーブ部分は、それを覆って適用されたときに、薬剤容器の壁に合致する、柔軟な材料を備えることができる。一態様では、スリーブ部分は、薬剤瓶を覆って延伸する可撓性材料で構成することができる。スリーブ部分は、望ましくは、ユーザが満足し、かつ把持の目的のために機能する、弾性のゴム触感を有する。
【００１０】
使用中の薬剤容器の把持を容易にする把持用取り付け具を提供する。図１を参照すると、薬剤瓶１２に固定される把持用取り付け具１０が示されている。瓶１２は、一方の端部が基部壁１８（図３）によって閉鎖され、他方の端部が開口された円筒容器壁１６を有する容器１４を含む。容器１４は、開口端部に隣接して雄ねじ（図示せず）を含み、また、容器１４を取り囲むように雌ねじ付きキャップ２０を受容する。ねじ付きキャップ２０は、通常の操作のために構成することができ、または軸方向に押圧することなどの、ねじ接続を解放するために特別な労力を必要とする「子供に安全な」種類のものとすることができる。キャップは、代替的に、押圧またはスナップ嵌めなどを通して、他の閉鎖システムによって容器に固定することができる。
【００１１】
把持用取り付け具１０は、薬剤瓶に取り付けたときに円筒壁２４を有する、スリーブ部分２２を備える。円筒スリーブ壁２４は、容器１４の外壁面２６と厳密に合致して、強固に取り付けられるように構成された内面を画定する。把持用取り付け具１０は、容器に対するキャップの適用または取り外し中の、ならびに他の時点での容器１４の保持を容易にするために、レバレッジ構成要素を備える。
【００１２】
例示的な一実施形態において、レバレッジ構成要素２８は、高摩擦材料３０で構成され、さらにはわずかに「粘着性の」触感を備えることができる、スリーブ部分の表面として提供される。この目的に好適な材料としては、例えば、ネオプレン、ＳＣＵＢＡ発泡ゴム、連続気泡または独立気泡ポリウレタン、および約３０〜約７０のデュロメータを有する他のウレタンの組み合わせが挙げられる。材料は、様々な色とすることができ、随意に、布地材料で覆うことができる。
【００１３】
薬剤瓶には、典型的に、含まれる薬剤の性質および投与要件に関する重要な情報を提供するラベルを含む。したがって、把持用取り付け具は、ラベルを視認することを可能にするように戦略的に配置された位置に視認部分を備える。視認部分は、把持用取り付け具のスリーブ部分のその一部分の材料が存在しないように形成された、透明材料または開口部を備えることができる。それによって、視認部分は、下層の薬剤ラベルに対する可視性を提供する。加えて、視認部分は、どのくらいの薬剤が薬剤容器内に残っているかをユーザが見ることを可能にする。
【００１４】
図１を参照すると、把持用取り付け具１０は、図１の瓶１２を通して視認可能な１つ以上の狭い垂直開口部３４を含む。これらは、把持用取り付け具によって包含される薬剤容器の実質的にすべての高さにわたる可視性を提供する。加えて、把持用取り付け具１０は、薬剤ラベル３２の少なくとも一部分を視認することを可能にする、比較的大きい視認部分３６を含む。視認部分３６は、薬剤ラベル３２の主要な部分を視認することを可能にするようにサイズ決定され、また、薬剤ラベル上に提供されているすべての情報へのアクセスを可能にすることができる。
【００１５】
把持用取り付け具１０は、薬剤瓶１２の容器１４に容易に取り付けられるように構成される。スリーブ部分２２は、使用中に容器１４の外壁面２６に対して位置付けられる内面３８（図３）を含む。内面３８は、本明細書で説明するような使用に対して十分な外壁面２６の摩擦係合を提供するように構成される。この目的のために、内面３８は、高摩擦面で形成すること、またはそれを備えることができる。いくつかの実施形態では、別のコーティングが内面３８に適用される。しかしながら、内面３８と外壁面２６との間の摩擦係合の量は、瓶上に存在する薬剤ラベルの過度の損傷を伴うことなく、スリーブ２２の取り付けを可能にするように、さらに、他の薬剤容器のその後の使用のために容器から取り外すことを可能にするように、制限される。
【００１６】
スリーブ２２の外壁面２６との係合は、ユーザが、通常の使用中に把持用取り付け具を保持する際に、外壁面２６に対してスリーブ２２を自然に押圧するという事実によって強化される。したがって、スリーブ２２と容器１４との摩擦係合は、ユーザが、キャップの取り付けおよび／または取り外し中に把持用取り付け具を保持している間、把持用取り付け具と容器との間の相対回転が防止される量であれば十分である。同時に、スリーブ部分２２を直接把持しない状態での摩擦係合は、過度の労力または薬剤ラベルへ損傷を伴うことなく容器１４に対するスリーブ部分２２の取り付けおよび取り外しを行うことができるように、十分に低減させることができる。
【００１７】
把持用取り付け具の表面特徴は、把持用取り付け具の薬剤容器への配置を、ならびに使用中の把持用取り付け具の外面の堅固な把持を容易にする。これらの表面特徴はまた、把持用取り付け具を薬剤容器から分離するべきときに、把持用取り付け具を操作することも容易にする。例示的な一実施形態において、把持用取り付け具は、薬剤容器の底面を露出させる底部開口部を含む。一実施例として、図２および図３は、把持用取り付け具の代替形態を表す。図３は、把持用取り付け具４０の底面図を提供する。把持用取り付け具４０は、中央開口４４を画定する底部壁４２（図３）を含む。使用中に、容器１４は、底部壁４２の上面に隣接して静置されるまで、把持用取り付け具４０のスリーブ部分２２の中へ押し下げられる。容器１４から把持用取り付け具４０を取り外すには、ユーザは、スリーブ部分２２を保持し、基部壁１８に対して押圧して、容器１４をスリーブ部分２２に対して上向きに押し出す。
【００１８】
代替的に、レバレッジ構成要素２８は、高められた把持を提供する様々な他の表面特徴を備えることができる。更なる一実施例として、離間された垂直リブ４８を含むスリーブ部分４６を含む、把持用取り付け具４０を図３に示す。リブ４８は、ユーザが、キャップ２０の適用または取り外しを行うために、容器１４に対してキャップ２０を回転させるときに、有用な把持位置を提供するようにサイズ決定、成形、および離間される。リブ４８は、好ましくは、快適な触感をユーザに提供する。したがって、リブ４８は、丸みのある縁部を有する比較的軟かい材料で形成することができる。代替的に、または加えて、リブ４８は、水平に、もしくはある角度で、または異なる配向の組み合わせとして延在させることができる。表面特徴はまた、表面のテクスチャ加工を備えることもできる。
【００１９】
把持用取り付け具の外側へ延在するノブを備えるレバレッジ構成要素２８の一実施例を図４〜図６に示す。把持用取り付け具５０は、先に説明したように容器１４に取り付けられたスリーブ部分５２を含む。把持用取り付け具５０は、スリーブ部分５２の外側に、好ましくは容器１４に対して長手方向に沿って延在する、ノブ５４をさらに含む。使用中に、ユーザは、容器に対するキャップの取り付けまたは取り外しを行っている間、スリーブ５２およびノブ５４を把持して、容器１４を一定の回転位置に保持する。
【００２０】
代替の例示的な実施形態を図７〜図８に示す。把持用取り付け具６０は、使用中に薬剤容器１４に固定されたスリーブ部分６２を含む。把持用取り付け具６０は、スリーブ部分６２に取り付けられたハンドル部材６４をさらに含む。ハンドル部材６４は、スリーブ部分６２と実質的に平行に延在する直立部分６６を含む。図７に示す一実施形態において、直立部分６６は、スリーブ部分６２の上端部に隣接してスリーブ部分６２に取り付けられた上部接続部材６８によって取り付けられる。したがって、ハンドル部材６４は、スリーブ壁から容器の長手方向軸に対して略垂直な方向に延在する部分と、第１の部分からスリーブ壁と平行な方向に延在する部分と、を含む。したがって、ハンドル部材６４は、容器の開口端部に隣接して配置された部分と、スリーブ壁から離間された位置で終端する部分と、を有する。
【００２１】
代替の実施形態において、直立部分６６は、スリーブ部分の下端部に隣接してスリーブ部分６２に取り付けられた下部接続部材によってスリーブ部分６２に取り付けることができる。ハンドルはまた、上部接続部分および下部接続部分の両方によってスリーブ部分に取り付けることもできる。後者の場合、ハンドル部材は、容器の開口端部に隣接して直立部分を接続する部分と、スリーブ壁の下部位置で直立部分に接続する部分と、を有する。
【００２２】
図８に示すように、ハンドル部材６４は、望ましくは、ユーザの１本以上の指を受容して、容器１４に対するスリーブ部分６２の把持を容易にするように構成される。これは、キャップの取り付けまたは取り外し中に、キャップ２０に対する把持用取り付け具６０および薬剤容器１４の回転に抵抗するユーザの能力を高める。
【００２３】
図９を参照すると、本明細書で想到される把持用取り付け具のさらに別の実施形態が示されている。把持用取り付け具７０は、容器１４に固定されたスリーブ部分７２を含む。親指ハンドル７４は、スリーブ部分７２に取り付けられる。親指ハンドル７４は、図７〜図８のハンドル部材６４に類似するが、代わりに、ユーザの親指を受容するようにサイズ決定される。親指ハンドル７４は、単独でスリーブ部分７２に提供することができる。しかしながら、代替の実施形態では、指グリップ７６も提供される。指グリップ７６は、スリーブ部分７２の半径方向外側に延在するストラット７８と、ストラット７８の上側および下側に延在する指支持体８０と、を備える。ユーザは、親指を親指ハンドル７４の中へ配置することによって、および指をストラット７８の片側の指支持体８０の下側に配置することによって、薬剤瓶１２を把持する。本明細書で説明する他の設計に関して、この構成は、ユーザが、キャップ２０の取り付けまたは取り外し中に、容器１４に対してスリーブ部分７２を把持すること、およびキャップ２０に対する把持用取り付け具７０および薬剤容器１４の回転に抵抗することを可能にする。
【００２４】
図１０に示すように、さらに別の例示的な実施形態において、把持用取り付け具９０は、使用中に、薬剤容器１４に固定されるスリーブ部分９２を含む。把持用取り付け具９０は、薬剤瓶１２から下側に延在する底部壁９４を含む。横溝９６は、底部壁９４の底面９８を横断して直径方向に形成される。よって、ユーザは、指を溝９８内に延在させて、容器１４をさらに安定させ、かつ回転に抵抗する様態で、スリーブ部分９２を把持することができる。
【００２５】
スリーブ部分１０２および基部１０４を含む代替的な把持用取り付け具１００を図１１に示す。基部１０４は、スリーブ部分１０２および容器１４と比較して、半径方向に拡大され、よって、把持用取り付け具１００は、薬剤容器の外面に類似する直径の部分と、外面からより遠くに離れて延在する部分と、を含む。これは、瓶１２を支持するためのより大きい底面１０６を提供し、したがって、支持面に配置したときの薬剤瓶１２の安定性を高める。
【００２６】
随意の特徴は、シリンジ、通常は経口投与シリンジを含むための、把持用取り付け具の表面構造の提供である。表面構造は、薬剤の投与計画と相関させるように提供することができる。図１１に示すように、例えば、基部１０４は、拡大基部１０４の１つ以上の空洞１０８によって提供することができる。一実施形態において、基部１０４は、曜日に対応する７つの空洞を備える。空洞は、各週日を示すようにラベル付けすることができ、シリンジの使用に対応する曜日にシリンジ１１０を配置することができる。例えば、シリンジは、シリンジを次に使用するべき日に対応する、ラベル付けされた空洞に配置することができる。
【００２７】
代替的に、把持用取り付け具は、別個のシリンジ取り付け具と組み合わせて使用することができる。図１２に示すように、連結部材１１２は、容器１４の首部１１６を覆って受容されたスリーブ１１４を含む。連結部材１１２は、シリンジを容器に固定する開口部１１８をさらに含む。
【００２８】
把持用取り付け具の他の設計を図１３に示す。把持用取り付け具１２０は、拡大基部１２２と、より拡大させた上部分１２４と、を含む。切り欠き１２６は、シリンジ１２８を受容するように、上部分１２４に形成される。
【００２９】
把持用取り付け具はまた、支持面に対する把持用取り付け具の回転の抵抗を高めるように構成することもできる。一態様において、把持用取り付け具は、支持面に接触する高摩擦材料を備えることができる。別の態様において、把持用取り付け具１３０（図１４）は、容器１４を受容するスリーブ部分１３２を含む。吸着カップ１３４は、把持用取り付け具１３０の底部に提供され、また、支持面に係合するように使用可能である。
【００３０】
把持用取り付け具を使用して情報を追跡する代替の方法を図１５に示す。把持用装置１４０は、瓶１２に嵌合した形態のスリーブ部分１４２を備える。スライダ１４４は、ウインドウ１４６内で受容され、また、様々な半径方向位置に移動可能である。曜日などに関する識別情報１４８は、ウインドウ１４６内に提供される。ユーザは、スライダ１４４をウインドウ１４６内の異なる位置に移動させて、ウインドウ内に列記された所望の識別情報１４８を示す。例えば、スライダを移動させて、薬剤を投与するべき次の曜日を示すことができる。
【００３１】
毎日の投与を説明してきたが、他の投与計画も追跡することができる。投与計画としては、例えば、１日複数回、週に１回、または任意の他の所定のスケジュール、で投与することを挙げることができる。
【００３２】
把持用取り付け具の代替の固定方法を図１６に示す。把持用取り付け具１５０は、材料のバンド１５２を備える。バンド１５２は、例えば、薬剤容器に対して強固に保持するようにサイズ決定された円筒形状を形成するためにばね付勢される、金属またはプラスチックによって形成される。バンド１５２は、円筒の外側にバンドを撓曲させることによって開口させることができる、円筒の形態である、非取り付け状態を有することができる。よって、バンド１５２は、拡大させたバンドの中へ瓶を挿入するのに十分な、限られた距離だけしか開口する必要がなく、その時点で、バンド１５２は、瓶に対して内側に閉鎖することが可能である。
【００３３】
図１６に示すように、代替的な手法において、バンド１５２は、本質的に平坦な形態である安定した状態を有することができる。しかしながら、バンドはまた、バンドが素早く円筒形状になる状態も有する。バンド１５２は、瓶に対して偏平なバンドを配置し、次いで端部を内側へ付勢することによって薬剤瓶に適用され、これは、バンド１５２を瓶の周囲で円筒形状にすることを誘発する。
【００３４】
いずれの実施形態においても、バンド１５２は、薬剤瓶の周囲に堅固に嵌合し、それによって、本明細書で開示する他のスリーブ部分と同じ様態で機能するスリーブ部分を形成するようにサイズ決定される。さらに、バンド１５２は、先に説明した様々なレバレッジ構成要素のいずれかを備えることができる。バンドの使用は、把持用取り付け具の薬剤瓶への適用を、同じく薬剤瓶からの取り外しをより容易にすることができる。また、瓶に存在するラベルに損傷を与える可能性を低くすることもできる。
【００３５】
一態様において、バンド１５２の端部は、瓶の周囲で受容されるときに相互係止を形成するように成形される。例えば、図１６に示すように、バンド１５２は、バンドの一方の側部に沿った突起部分１５６を有する第１の端部１５４と、バンドの他方の側部に沿った突起部分１６０を有する第２の端部１５８と、を有する。図１７に示すように、バンド１５２は、薬剤瓶１２に固定されたときに、突起部分１５６が突起部分１６０に隣接して厳密に受容されるようにサイズ決定される。
【００３６】
把持用取り付け具は、薬剤および／または取り付け具の使用に関連する補助情報を提供するために、マーキングを含むことができる。例えば、把持用取り付け具は、「使用する前に振ること（Ｓｈａｋｅ  Ｂｅｆｏｒｅ  Ｕｓｉｎｇ）」または「要冷蔵（Ｋｅｅｐ  Ｒｅｆｒｉｇｅｒａｔｅｄ）」といった表記を含むことができる。マーキングは、「底部開口部を通して上向きに押して取り外す（Ｔｏ  Ｒｅｍｏｖｅ，Ｐｒｅｓｓ  Ｕｐｗａｒｄｌｙ  Ｔｈｒｏｕｇｈ  Ｂｏｔｔｏｍ  Ｏｐｅｎｉｎｇ）」などの、把持用取り付け具を適切に取り外す方法を指示することができる。
【００３７】
把持用取り付け具は、識別された特徴を提供する任意の材料から形成することができる。把持用取り付け具は、好ましくは再使用可能であり、そのために、スリーブ部分は、簡単な取り付け、取り外し、および再取り付けを行うように構成される。把持用取り付け具は、好ましくは、容易に洗浄される耐久性材料である材料から形成される。
【００３８】
把持用取り付け具の使用は、キャップの適用または取り外しを行いながら使用することに加えて、多数の利点を提供する。把持用取り付け具は、薬剤を分注または取り出すなどの、薬剤容器の内容物にアクセスするユーザの能力を高めるのに有用である。把持用取り付け具によって提供される容器のより高度な制御もまた、精度を高め、漏出を低減させることができる。特定の実施形態において、把持取り付け具は、薬剤瓶が転倒する可能性を低減させる。薬剤瓶に損傷を与える可能性およびその内容物を喪失する可能性が低くなる。使用中および支持面に静置しているときの両方における薬剤瓶の追加的な安定性の観点から、他の利点もまた達成される。
【図１】
2021513490.tif 000003
【図２】
2021513490.tif 000004
【図３】
2021513490.tif 000005
【図４】
2021513490.tif 000006
【図５】
2021513490.tif 000007
【図６】
2021513490.tif 000008
【図７】
2021513490.tif 000009
【図８】
2021513490.tif 000010
【図９】
2021513490.tif 000011
【図１０】
2021513490.tif 000012
【図１１】
2021513490.tif 000013
【図１２】
2021513490.tif 000014
【図１３】
2021513490.tif 000015
【図１４】
2021513490.tif 000016
【図１５】
2021513490.tif 000017
【図１６】
2021513490.tif 000018
【図１７】
2021513490.tif 000019
【国際調査報告】
2021513490.tif 000020
2021513490.tif 000021
2021513490.tif 000022